(57)【要約】      （修正有）【課題】飛行するための構造をもった物体に浮上システムをつけた飛行船の浮上基のシステムを提供する。【解決手段】磁性体、粉末パーメンジュールを用意する。これは、最も効率よく強い磁力を発生する。コアはパーメンジュールでできており、これに電気を印加し励磁する。電磁気と、永久磁石を使って乗り物を構成する。制御は既存の電子制御技術を用いる。電磁石１に電気を流すと電磁石１の上はＮ極になり、永久磁石２は下面がＮ極になっているので磁力が反発して、永久磁石は上に押し上げられ、プラスチックシャシ３を上に押し上げ、水中で、全体を上に浮上させる。発泡シチロウル７は浮上電磁石構造体（聖武システム）を水中で軽くするために取り付ける。【選択図】図２
2014240655.tif 000002
【特許請求の範囲】
【請求項１】
磁気、磁力を使って浮上、移動するシステム、聖武システムは、根幹をなします。これを用いるものは枝葉であり、すべて私に帰属します。興味深い研究材料を提供します。この事について考えるのは、楽しいぃんですよ。夢が膨らんで、一緒に夢をみませんか。電気の根源のパワーは、物理学ですから。野心が勝つか愛が勝つか結果は出てる。くれぐれも、野心はもたないように、愛が勝つんだからね。
【請求項２】
電磁石の下に発電用コイルを設置する。コイルの巻き数を多くすると発電量も多くなるので、余剰分がでる。電磁石を使うと、電気の消費と生産は一体にある。蓄え→消費→生産→蓄え、この電源循環システムを名づけて、太子システムにします。
【発明の詳細な説明】
【技術分野】
【０００１】  本発明は、移動の際の乗り物に関するものである。
【背景技術】
【０００２】  従来、移動の際は、車、船、飛行機、である。車は、地面をタイヤで回転して、移動するので、宙に浮く事は出来ません、船は、水の上を浮いて移動しますが、空中や、地面、水中、には移動する事が出来ません、飛行機は、水中や、宇宙に移動する事は出来ません、水の上や、陸上は不向きである。【０００３】  車、船、飛行機、宇宙船は、用途によって使用してきた、それぞれ可能な事と不可能な事があった。【０００４】  そこで、電磁気と、永久磁石を使って、乗り物を構成する、制御は既存の電子制御技術を用いて、操縦者が自由自在に操縦する、先行技術はありません。図１は、原理、メカニズムを説明する実験の内容を示したものであり、図１は、押し上げるために用いる電磁石と、それを受け止めて上に上がる役割をする永久磁石との位置関係を示した図です。１は押し上げるための電磁石、２は磁気を受け止めて上に上がる役割をする永久磁石を表す。電磁石１に電気を流すと、電磁石１の上はＮ極になり、永久磁石の下面をＮ極にしておく、磁力が反発して、磁力の反発力は磁気の弱い方に現れる。磁気の強さは重さも関係する。永久磁石は３のプラスチックシャシを上に押し上げ結果全体を上に浮上させる。今までこのような磁気を使って浮上、移動する乗り物はなかった。図２は実験の図です。７は発砲シチロウルで浮上電磁石構造体の質量を出来るだけ軽くするために取り付ける。電磁石１の水中での質量を量ると、２００ｍｇ、その後通電すると電磁石を含む３プラスチックシャシは、水面まで浮上する。
【先行技術文献】
【特許文献】
【０００５】
【特許文献１】  一切見当たりません。
【非特許文献１】
【０００６】
【非特許文献１】  特にありません。
【発明の概要】
【発明が解決しようとする課題】
【０００７】  解決しようとする問題点は、それぞれの乗り物は、用途によって使用し可能な事と不可能な事がある点である。主に宇宙で移動する際の乗り物。
【課題を解決するための手段】
【０００８】  本発明は、電子→電気を用いて、磁力によって浮上することを最も主要な特徴とする。
【発明の効果】
【０００９】  本発明の神竜は、軽いガスみたいな役割をする永久磁石と磁気を吹き出す役割をする浮上電磁石との反発力である、磁気の磁力により、力を全体に伝え、全体を押し上げる構造によって浮上する。この仕組み全体を私が一番大好きな聖武皇帝陛下から名をとり、聖武システムと命名します。いや、聖武スーパースペシャル・・・冗談です。（笑）聖武システムにします。磁力により浮上できるという利点がある。
【図面の簡単な説明】
【００１０】
【図１】  実験に使った浮上電磁石と永久磁石との位置関係及び浮上するための構造を示した図である。
【図２】  浮上電磁石構造体（聖武システム）が浮上する実験を表した説明図である。
【発明を実施するための形態】
【００１１】  磁力を使用し、浮上するのに、１浮上電磁石、と２軽いガスみたいな役割をする永久磁石Ｎ極を使い、その反発力でもある、上に押し上げる力と浮上電磁石構造体（聖武システム）で全体を浮上させた。
【実施例１】
【００１２】  図１は実験に使った浮上電磁石構造体の説明図である。１〜４は、図２と同様である。【００１３】  一般に磁力は下記の数式１によって求まるということが数学的にすでに分かっている。下記の表に数式の各物理量（実験の際）の値の例を示す。磁気に関する数式は専門書にお任せするとし、主要な数式、重要な表現により構成します。【００１４】  ソレノイドコイルの詳細な説明をします。
・０．３φポリアミドイミド銅線を１０００回巻いています。耐熱区分２２０℃です。
・コアの半径ｒは５．５ｍｍ、全長縦の長さＬは１８ｍｍ、コアの形状は正四角柱です。
・ヨークを付けたかったんですが時間と道具、その他の都合で付けれてません。【００１５】
【数１】
2014240655.tif 000003
【００１６】
【表１】
2014240655.tif 000004
【００１７】  数１はソレノイド電磁石の磁界の強さを求める式です。
とにかく実験は成功したのだから、だいたいの磁力の強さでいいと思う。製品化する時は、制御のために、きっちりと磁力を計算する必要はあると思います。
熟慮断行、御一緒に話し合いの機会を持ちたいです。【００１８】  浮上電磁石に直流電気を流すと、電磁石の上はＮ極に励磁され鳥の翼みたいな役割をする永久磁石の下面Ｎ極と反発し、磁気による磁力の反発力が上に伝えられ、結果浮上電磁石構造体（聖武システム）は浮上する。宙に浮き上がる。【００１９】  まとめると、実験によって証明する方法をとります。直流電源を用意し、プラスチック容器に水を９分目まで入れ、磁性体、粉末から作ったパーメンジュールを用意する。粉末パーメンジュールは最も効率よく、強い磁力を発生する。コアはパーメンジュールでできており、これに電気を印加し励磁する。できるだけ軽い質量の世界で証明します。これは、重い質量の世界でも適用される。磁力は環境（数値）を変えれば、いくらでも強くなると言っても過言ではない。【００２０】  要は吹き上げ浮上させるための電磁石は上面をＮ極に励磁され、鳥の翼みたいな役割をする永久磁石の下面はＮ極になっており、磁気による、磁力の反発力でもあり、上に押し上げる力によって、永久磁石が上に押し上げられ力が上に伝わり浮上電磁石構造体（聖武システム）全体は浮上します。この実験において、図２の７の発砲シチロウルで浮上電磁石構造体（聖武システム）を水中で軽くしてある。でも、質量はちゃんと存在します。将来的には飛行機のジェットエンジンのように使えると思います。【００２１】  蒸気機関車が良いモデルになる。古きを温ね新しきを知る。蒸気が磁気で蒸気圧が電圧に対応する。シリンダーが浮上電磁石構造体に対応する。
実演するのが分かりやすく、伝わるんですよね。
磁気は愛に似ている。【００２２】  実用の際は、永久磁石ではなく、２個の電磁石を使用する。【００２３】  電磁石の下に発電用のコイルを設置する、コイルの巻き数を多くすると発電量も多くなるので、余剰分がでる。電磁石を使うと、電気の消費と生産は一体にある。蓄え→消費→生産→蓄え、この電源循環システムを名づけて、太子システムにします。【００２４】  浮上電磁石構造体を聖武システムと呼称し、その下に設置した発電用コイル群を太子システムと呼称し、発電された電力を蓄えるキャパシタ群を天武システムと呼称し、この３システムを総合して、天照システムと呼称します。
2014240655.tif 000005
【００２５】  私は、予言する。
磁気は愛に似ているから愛を大事にして下さいね。私にも同じ事が言える。この発明は初歩にすぎず、愛にあふれる方々が活躍して下さると思いますので、この先問題ないとする。【００２６】  今後重い質量の世界での時に、多少、ちょっと困難が予想されますが、何事にも、工夫、アレンジする事が必要ですから。計算上は浮上電磁石構造体（聖武システム）１基で１ｔ、１０基で１０ｔは余裕で上がりそう。
私はマドンナさんのファンです。励まされました、ありがとう。
私達人類は新たな時代に突入する。
私達は自然から学ばなければなりません。（カッコつけさして下さい）
私達人類が幸せであることを願ってやみません。
【産業上の利用可能性】
【００２７】  本発明は乗り物であるので、乗り物として主に適用できる。他にも、物を移動させる事に適するので、アイディアによる。
【符号の説明】
【００２８】１  浮上電磁石
２  永久磁石
３  プラスチックシャシ
４  ０．３φポリアミドイミド銅線
５  プラスチック容器
６  直流電源
７  発砲シチロウル
【図１】
2014240655.tif 000006
【図２】
2014240655.tif 000007
【手続補正書】
【提出日】平成26年8月7日(2014.8.7)
【手続補正３】
【補正対象書類名】明細書
【補正対象項目名】００１６
【補正方法】変更
【補正の内容】
【００１６】
【表１】
2014240655.tif 000008